(57)【要約】【課題】ゴムバネの破損を防止することができると共に、鋳枠からの注湯済鋳型の抜き出しと鋳枠内面清掃を同じ場所で、且つ、同じ装置で行うことができる鋳型抜き出し兼鋳枠内面清掃装置を提供する。【解決手段】注湯済鋳型を保持した鋳枠の上方又は下方に設置した昇降シリンダのピストンロッドの先端に、鋳枠内に挿入可能なフレ−ムを連結し、該フレ−ムの先端に前記鋳枠の内面よりも若干小さく形成された天板を取り付けると共に、該フレ−ムの外周側面上下位置に複数のスクレ−パ体を水平方向では互いに間隔をおいて、上下方向では互いに隙間を補完し合うように配置して取り付けて成る鋳型抜き出し兼鋳枠内面清掃装置であって、前記スクレ−パ体が左右に間隔をおいた一対のゴムバネと、該ゴムバネに支持された金属製スクレ−パとで構成されている。【選択図】　　　図１
2004082165.tif 000002
【特許請求の範囲】
【請求項１】
注湯済鋳型を保持した鋳枠の上方又は下方に設置した昇降シリンダのピストンロッドの先端に、鋳枠内に挿入可能なフレ−ムを連結し、該フレ−ムの先端に前記鋳枠の内面よりも若干小さく形成された天板を取り付けると共に、該フレ−ムの外周側面上下位置に複数のスクレ−パ体を水平方向では互いに間隔をおいて、上下方向では互いに隙間を補完し合うように配置して取り付けて成る鋳型抜き出し兼鋳枠内面清掃装置であって、前記スクレ−パ体が左右に間隔をおいた一対のゴムバネと、該ゴムバネに支持された金属製スクレ−パとで構成されていることを特徴とする鋳型抜き出し兼鋳枠内面清掃装置。
【請求項２】
前記スクレ−パ体の複数が共通のブラケットに取り付けられており、該ブラケットが前記フレ−ムの外周側面上下位置に着脱可能に取り付けられていることを特徴とする請求項１記載の鋳型抜き出し兼鋳枠内面清掃装置。
【発明の詳細な説明】
【０００１】
【発明の属する技術分野】
本発明は、鋳枠内に保持された注湯済鋳型を鋳枠から抜き出すと共に鋳枠内面に付着した鋳物砂を除去する鋳型抜き出し兼鋳枠内面清掃装置に関する。
【０００２】
【従来の技術】
従来、ゴムバネに支持された金属製のスクレ−パを使用する鋳枠内面清掃装置は、例えば、実開平１−１３９９６８号公報に開示されている。しかし、この公報の装置は、金属製スクレ−パに偏荷重が加わった場合にゴムバネがひねられて破損してしまうことがあるという問題がある。さらに、この装置は鋳枠内面清掃の専用装置であるため、鋳枠からの注湯済鋳型の抜き出しは別の場所で、且つ、別の装置で行わなければならないという問題がある。
【０００３】
【発明が解決しようとする課題】
本発明は上記の問題に鑑みて成されたもので、金属製スクレ−パに偏荷重が加わった場合のゴムバネの破損を防止することができると共に、鋳枠からの注湯済鋳型の抜き出しと鋳枠内面清掃を同じ場所で、且つ、同じ装置で行うことができる鋳型抜き出し兼鋳枠内面清掃装置を提供することを目的とする。
【０００４】
【課題を解決するための手段】
上記の目的を達成するために本発明における鋳型抜き出し兼鋳枠内面清掃装置は、注湯済鋳型を保持した鋳枠の上方又は下方に設置した昇降シリンダのピストンロッドの先端に、鋳枠内に挿入可能なフレ−ムを連結し、該フレ−ムの先端に前記鋳枠の内面よりも若干小さく形成された天板を取り付けると共に、該フレ−ムの外周側面上下位置に複数のスクレ−パ体を水平方向では互いに間隔をおいて、上下方向では互いに隙間を補完し合うように配置して取り付けて成る鋳型抜き出し兼鋳枠内面清掃装置であって、前記スクレ−パ体が左右に間隔をおいた一対のゴムバネと、該ゴムバネに支持された金属製スクレ−パとで構成されていることを特徴とする。
【０００５】
また本発明における鋳型抜き出し兼鋳枠内面清掃装置は、前記スクレ−パ体の複数が共通のブラケットに取り付けられており、該ブラケットが前記フレ−ムの外周側面上下位置に着脱可能に取り付けられていることを特徴とする。
【０００６】
【発明の実施の形態】
以下、本発明の実施の形態を図面に基づいて詳しく説明する。図１は本発明の実施形態を示す一部切欠き正面図、図２は図１の左側面図、図３は図１におけるＡ−Ａ矢視図、図４は図１におけるＢ−Ｂ矢視図、図５はスクレ−パ体の拡大断面図で鋳枠内面と非接触状態を示す状態図である。
【０００７】
図１、２において、注湯済鋳型Ｍを保持した鋳枠Ｆの下方には昇降シリンダ１が設置されており、該昇降シリンダ１のピストンロッド１ａの先端は鋳枠Ｆ内に挿入可能なフレ−ム３の下部中央に連結されている。また該フレ−ム３の下部における平面対角位置にはガイドロッド４、４が連結されており、該ガイドロッド４、４はホルダ５、５内を上下摺動可能に貫通されている。
【０００８】
さらに前記フレ−ム３の先端には前記鋳枠Ｆの内面よりも若干小さく形成されると共に平面がほぼ四角形状の天板６が取り付けられ、前記フレ−ム３の外周側面上下位置には、図３、４に示すように複数のスクレ−パ体７、７が水平方向では互いに間隔をおいて、上下方向では互いに隙間を補完し合うように配置して取り付けられている。
【０００９】
ここで、前記スクレ−パ体７の構成を図５を加えて詳細に説明する。スクレ−パ体７は左右に間隔をおいた一対のゴムバネ８、８と、該ゴムバネ８、８に支持された金属製スクレ−パ９とで構成されている。なお該金属製スクレ−パ９は、耐摩耗性を向上させるために先端に焼き入れが施されていると共に先端が鋳枠Ｆ内面より若干外側に突出するように配置されている。さらにゴムバネ８は、前記金属製スクレ−パ９を支持するへ字形の支持板１０が固着された角パイプ１１内部に角棒１２を角度をつけて配置し、角パイプ１１と角棒１２との隙間にゴム１３、１３を圧入した構成にされている。
【００１０】
また前記スクレ−パ体７は複数が共通のブラケット１４に取り付けられており、本実施形態ではスクレ−パ体７三つ毎に前記ブラケット１４が用意されている。さらに、これら複数のブラケット１４、１４は前記フレ−ム３の外周側面上下位置に着脱可能に取り付けられている。
【００１１】
次にこのように構成されたものの作動について説明する。まず、注湯済鋳型Ｍを保持した鋳枠Ｆが図示されない搬送手段により天板６の上方へ搬送され、図１、２の状態にされる。この状態で昇降シリンダ１を伸長作動させて天板６を上昇させると、天板６で注湯済鋳型Ｍを抜き出しながらスクレ−パ体７、７で鋳枠Ｆ内面を清掃する（図６、８参照）。この際、昇降シリンダ１の上昇端ではスクレ−パ体７、７が完全に鋳枠Ｆから上方に抜け出た状態になる。
【００１２】
次に昇降シリンダ１の上昇端において注湯済鋳型Ｍを図示されないプッシャで水平移動させた後、昇降シリンダ１を縮引作動させて天板６を下降させる。この際、スクレ−パ体７、７は逆方向（上向き）に傾きながら再度、鋳枠Ｆ内面を清掃する（図７、８参照）。
【００１３】
なお本発明では、上述したように、左右に間隔をおいた一対のゴムバネ８、８と、該ゴムバネ８、８に支持された金属製スクレ−パ９とでスクレ−パ体７が構成されているから、鋳枠Ｆ内面の清掃時に金属製スクレ−パ９に偏荷重が加わった場合でもゴムバネ８、８がひねられてしまうことがほとんど無い。このため、ゴムバネ８、８の破損を防止することができる。
【００１４】
またスクレ−パ体７の複数が共通のブラケット１４に取り付けられており、該ブラケット１４が前記フレ−ム３の外周側面上下位置に着脱可能に取り付けられているから、ゴムバネ８、８、金属製スクレ−パ９の交換等のメンテナンスを容易に行うことができる。さらにスクレ−パ体７、７を取り付けたブラケット１４をユニットとして２組用意しておき、一方を装置に組み付け、他方を予備とすれば、一方のユニットを装置外でメンテナンスしている時でも装置を稼動させることができる。
【００１５】
なお本発明の実施形態では、スクレ−パ体７三つ毎に前記ブラケット１４が用意されているが、これに限定されるものではなく、複数毎であれば、その数は問わない。
【００１６】
また本発明の実施形態では、注湯済鋳型Ｍを保持した鋳枠Ｆの下方に昇降シリンダを設置して注湯済鋳型Ｍを鋳枠Ｆの上方に抜き出すようにしたが、これに限定されるものではなく、鋳枠Ｆの上方に昇降シリンダを設置して注湯済鋳型Ｍを鋳枠Ｆの下方に抜き出すようにしてもよい。
【００１７】
【発明の効果】
上記の説明から明らかなように本発明は、注湯済鋳型を保持した鋳枠の上方又は下方に設置した昇降シリンダのピストンロッドの先端に、鋳枠内に挿入可能なフレ−ムを連結し、該フレ−ムの先端に前記鋳枠の内面よりも若干小さく形成された天板を取り付けると共に、該フレ−ムの外周側面上下位置に複数のスクレ−パ体を水平方向では互いに間隔をおいて、上下方向では互いに隙間を補完し合うように配置して取り付けて成る鋳型抜き出し兼鋳枠内面清掃装置であって、前記スクレ−パ体が左右に間隔をおいた一対のゴムバネと、該ゴムバネに支持された金属製スクレ−パとで構成されているから、金属製スクレ−パに偏荷重が加わった場合のゴムバネの破損を防止することができると共に、鋳枠からの注湯済鋳型の抜き出しと鋳枠内面清掃を同じ場所で、且つ、同じ装置で行うことができる等種々の効果がある。
【図面の簡単な説明】
【図１】本発明の実施形態を示す一部切欠き正面図である。
【図２】図１の左側面図である。
【図３】図１におけるＡ−Ａ矢視図である。
【図４】図１におけるＢ−Ｂ矢視図である。
【図５】スクレ−パ体の拡大断面図で鋳枠内面と非接触状態を示す状態図である。
【図６】昇降シリンダ上昇時の状態図である。
【図７】昇降シリンダ下降時の状態図である。
【図８】スクレ−パ体の拡大断面図で鋳枠内面清掃時の状態図である。
【符号の説明】
１　昇降シリンダ
１ａ　ピストンロッド
３　フレ−ム
６　天板
７　スクレ−パ体
８　ゴムバネ
９　金属製スクレ−パ
１４　ブラケット
Ｆ　鋳枠
Ｍ　注湯済鋳型
【図１】
2004082165.tif 000003
【図２】
2004082165.tif 000004
【図３】
2004082165.tif 000005
【図４】
2004082165.tif 000006
【図５】
2004082165.tif 000007
【図６】
2004082165.tif 000008
【図７】
2004082165.tif 000009
【図８】
2004082165.tif 000010